(57)【要約】【課題】  特定のオブジェクトについての所定条件を満たす情報を抽出して再生する情報処理装置において、ユーザがオブジェクトを指定する際、例えば再生中の動画フレーム以外に出現するオブジェクトをユーザが見落とす危険があるという問題があった。【解決手段】  記録再生部１１１により、映像データ１８２を再生している場合において、出力部１３１により出力中の映像データに含まれておらず、且つ記録媒体１８１に記録された映像データ１８２に含まれるオブジェクトについての出現情報を、出力部１３１により表示部１７１に出力させる。記録再生部１１１により記録媒体１８１から映像データ１８２を再生中に、当該出現情報に基づいて、非再生オブジェクトを含む所定のオブジェクト条件を指定する指示が入力され、当該オブジェクト条件を満たす映像データを抽出して再生動作を行なう。【選択図】図１
2010062691.tif 000002
【特許請求の範囲】
【請求項１】
記録媒体に対して映像音声情報を記録する記録手段と、
記録媒体に記録された映像音声情報を再生する再生手段と、
前記再生手段により再生された映像音声情報を表示手段に出力する出力手段と、
記録媒体に記録された映像音声情報に含まれるオブジェクトについての所定条件を指定する指示が入力されるオブジェクト条件入力手段と、
前記オブジェクト条件入力手段により入力された前記所定条件に基づいて、前記再生手段により、前記記録媒体に記録された映像音声情報から、当該所定条件を満たす映像音声情報を再生するよう制御する制御手段とを有し、
前記制御手段は、前記再生手段により前記記録媒体から映像音声情報を再生中において、前記出力手段により出力中の映像音声情報に含まれておらず、且つ前記記録媒体に記録された映像音声情報に含まれる非再生オブジェクトについての出現情報を、前記出力手段により前記表示手段に出力させ、
前記オブジェクト条件入力手段は、前記再生手段により前記記録媒体から映像音声情報を再生中に、前記非再生オブジェクトを含む所定条件を指定する指示を入力可能であることを特徴とする情報処理装置。
【請求項２】
請求項１に記載の情報処理装置であって、
前記制御手段は、前記再生手段により前記記録媒体から映像音声情報を再生中において、前記出現情報として前記非再生オブジェクトの出現時間情報を前記出力手段により前記表示手段に出力させることを特徴とする情報処理装置。
【請求項３】
請求項２に記載の情報処理装置であって、
前記制御手段は、前記再生手段により前記記録媒体から映像音声情報を再生中において、前記出力手段により出力中の映像音声情報に含まれる再生オブジェクト又は/及び前記非再生オブジェクトの出現時間情報を、時間軸上で各オブジェクトの出現する時間帯と、出現しない時間帯とをユーザが区別できるよう表示する時間軸表示を前記出力手段により前記表示手段に出力させることを特徴とする情報処理装置。
【請求項４】
請求項３に記載の情報処理装置であって、
前記制御手段は、前記再生手段により前記記録媒体から映像音声情報を再生中において、前記オブジェクト条件入力手段によりオブジェクトについての所定条件を指定する指示が入力された場合に、前記所定条件を満たす映像音声情報の出現時間情報として、時間軸上で前記所定条件を満たす映像音声情報の出現時間帯と、前記所定条件を満たさない映像音声情報の出現時間帯とをユーザが区別できるよう表示する時間軸表示を前記出力手段により前記表示手段に出力させることを特徴とする情報処理装置。
【請求項５】
請求項１に記載の情報処理装置であって、
前記制御手段は、前記再生手段により前記記録媒体から映像音声情報を再生中において、前記オブジェクト条件入力手段によりオブジェクトについての所定条件を指定する指示が入力された場合に、前記所定条件を満たす映像音声情報の合計時間を前記出力手段により前記表示手段に出力させることを特徴とする情報処理装置。
【請求項６】
請求項１に記載の情報処理装置であって、
前記オブジェクト条件入力手段により入力された所定条件に基づいて、前記再生手段により再生された映像音声情報の再生履歴を保持する保持手段を有し、
前記制御手段は、前記保持手段により保持された前記再生履歴に基づいて、前記再生手段により前記映像音声情報の再生するよう制御することを特徴とする情報処理装置。
【請求項７】
第１の記録媒体に対して、映像音声情報の再生又は記録を行なう第１の記録再生手段と、
第２の記録媒体に対して、映像音声情報の再生又は記録を行なう第２の記録再生手段と、
前記第１の記録再生手段により前記第１の記録媒体から映像音声情報を再生し、前記第２の記録再生手段により当該映像音声情報を第２の記録媒体へ記録するダビング動作を行なうダビング手段と、
前記ダビング手段による前記ダビング動作中において、前記第１の記録再生手段により再生された映像音声情報を表示手段に出力する出力手段と、
前記第１の記録媒体に記録された映像音声情報に含まれるオブジェクトについての所定条件を指定する指示が入力されるオブジェクト条件入力手段と、
前記オブジェクト条件入力手段により入力された前記所定条件に基づいて、前記第１の記録再生手段により前記第１の記録媒体から当該所定条件を満たす映像音声情報を再生し、前記第２の記録再生手段により当該映像音声情報を第２の記録媒体へ記録するよう前記ダビング手段を制御する制御手段とを有し、
前記制御手段は、前記ダビング手段による前記ダビング動作中において、前記出力手段により出力中の映像音声情報に含まれておらず、且つ前記記録媒体に記録された映像音声情報に含まれる非再生オブジェクトについての出現情報を、前記出力手段により前記表示手段に出力させ、
前記オブジェクト条件入力手段は、前記ダビング手段による前記ダビング動作中に、前記非再生オブジェクトを含む所定条件を指定する指示を入力可能であることを特徴とする情報処理装置。
【請求項８】
請求項７に記載の情報処理装置であって、
前記制御手段は、前記ダビング手段による前記ダビング動作中において、前記オブジェクト条件入力手段によりオブジェクトについての所定条件を指定する指示が入力された場合に、前記所定条件を満たす映像音声情報の合計時間を前記出力手段により前記表示手段に出力させることを特徴とする情報処理装置。
【請求項９】
請求項７に記載の情報処理装置であって、
前記ダビング手段による前記ダビング動作において、前記オブジェクト条件入力手段により入力された所定条件に基づいて、前記第１の記録再生手段により前記第１の記録媒体から再生された映像音声情報の再生履歴を保持する保持手段を有し、
前記制御手段は、前記保持手段により保持された前記再生履歴に基づいて、前記第１の記録再生手段により前記第１の記録媒体から映像音声情報を再生し、前記第２の記録再生手段により当該映像音声情報を第２の記録媒体へ記録するよう前記ダビング手段を制御することを特徴とする情報処理装置。
【請求項１０】
記録媒体に対して情報を記録する記録手段と、
記録媒体に記録された情報を再生する再生手段と、
前記再生手段により再生された情報を表示手段に出力する出力手段と、
記録媒体に記録された情報に含まれるオブジェクトについての所定条件を指定する指示が入力されるオブジェクト条件入力手段と、
前記オブジェクト条件入力手段により入力された前記所定条件に基づいて、前記再生手段により、前記記録媒体に記録された情報から、当該所定条件を満たす情報を再生するよう制御する制御手段とを有し、
前記制御手段は、前記再生手段により前記記録媒体から情報を再生中において、前記出力手段により出力中の情報に含まれておらず、且つ前記記録媒体に記録された情報に含まれる非再生オブジェクトについての出現情報を、前記出力手段により前記表示手段に出力させ、
前記オブジェクト条件入力手段は、前記再生手段により前記記録媒体から情報を再生中に、前記非再生オブジェクトを含む所定条件を指定する指示を入力可能であることを特徴とする情報処理装置。
【請求項１１】
請求項１０に記載の情報処理装置であって、
前記制御手段は、前記再生手段により前記記録媒体から情報を再生中において、前記オブジェクト条件入力手段によりオブジェクトについての所定条件を指定する指示が入力された場合に、前記所定条件を満たす情報の合計時間を前記出力手段により前記表示手段に出力させることを特徴とする情報処理装置。
【請求項１２】
請求項１０に記載の情報処理装置であって、
前記オブジェクト条件入力手段により入力された所定条件に基づいて、前記再生手段により再生された情報の再生履歴を保持する保持手段を有し、
前記制御手段は、前記保持手段により保持された前記再生履歴に基づいて、前記再生手段により情報の再生するよう制御することを特徴とする情報処理装置。
【発明の詳細な説明】
【技術分野】
【０００１】
本発明は、情報検索を行なう情報処理装置に関する。
【背景技術】
【０００２】
本技術の背景技術として、例えば特許文献１「動画再生装置」、特許文献２「映像検索方法及び装置ならびに記録媒体」がある。
【０００３】
特許文献１には、課題として、「特定のオブジェクトを含む情報のみを連続して再生する情報処理装置として、動画の再生や編集が手軽に行なえるようになると、今度は、録画した画像の中から所望の映像を即座に的確に検索したいという要求が高まってくる。」と記載されており、解決策として、「複数のフレームを含む動画フレームを再生する動画再生装置であって、前記動画フレーム内の任意のオブジェクトを選択するオブジェクト選択手段と、選択したオブジェクトの情報を取得するオブジェクト情報取得手段と、取得したオブジェクト情報に基づいて前記動画フレームを検索し、選択したオブジェクトを含む画像を抽出するオブジェクト抽出手段と、抽出した画像を再生する再生手段とを備える。この構成によれば、オブジェクト情報に基づく検索を行なうことで、所望のオブジェクトを含むシーンの動画像を抽出することができる。」と記載されている。
【０００４】
特許文献２には、課題として「コンテントベースで符号化された映像ファイルの検索において、利用者が個々の映像オブジェクトの特徴に着目した映像シーン検索を可能にする」と記載されており、解決策として「映像データ登録時に処理７０でストリーム分離を行ない、処理７１〜７３で映像のコンテント毎に画像の特徴量などのアノテーション情報を抽出し、映像オブジェクトとして映像情報テーブル領域５１に格納しておく。検索時には、利用者は映像オブジェクト毎に検索条件を指定する。複数のオブジェクトの集合検索の場合に、オブジェクト単位で検索した後、合致したオブジェクトの出現時間区間情報を元に同時出現性を判断することによって、利用者の所望の映像シーンを検索して提示する。」と記載されている。
なお、特許文献１、２中によるオブジェクトは、主として被写体など映像中の特定のオブジェクトを示している。
【０００５】
【特許文献１】特開２００６−６０２７９号公報
【特許文献２】特開平１１−３３８８７６号公報
【発明の開示】
【発明が解決しようとする課題】
【０００６】
前記特許文献１では、特定のオブジェクトを指定し、そのオブジェクトを含む情報を抽出することはできる。しかし、前記特許文献では再生中の動画フレームの中からオブジェクトを選択するものであり、再生中以外のシーンで出現するオブジェクトを把握することができないため、例えばユーザが所望のオブジェクトを把握、選択するのに時間と手間がかかるという問題があった。すなわち、前記特許文献１ではユーザがオブジェクトを指定する際に、例えばオブジェクト毎の出現する範囲等の全体像を把握することができず、情報の抽出後、再び別のオブジェクトを追加で指定し、抽出し直すなどの手間がかかるという問題や、再生中の動画フレーム以外に出現するオブジェクトをユーザが見落とす危険があるという問題があった。さらに、前記特許文献１では抽出した情報の情報量がどの程度になるのかをユーザが把握することができないという問題があった。
【０００７】
前記特許文献２では、「映像要素オブジェクト毎に検索条件を指定して検索を実行する」ことが可能である。しかし、特許文献２は再生開始前に検索条件を指定するものであり、映像シーンの再生中にオブジェクトの検索条件を指定しなおすことができず、ユーザが映像シーン再生途中で検索条件を変更したいといった場合に対応できないという問題があった。
本発明は、このような問題を改善し、情報処理装置において情報を検索する際のユーザの使い勝手を向上することを目的とする。
【課題を解決するための手段】
【０００８】
前記目的は、特許請求の範囲に記載の発明によって達成される。たとえば、記録媒体に対して映像音声情報を記録する記録手段と、記録媒体に記録された映像音声情報を再生する再生手段と、前記再生手段により再生された映像音声情報を表示手段に出力する出力手段と、記録媒体に記録された映像音声情報に含まれるオブジェクトについての所定条件を指定する指示が入力されるオブジェクト条件入力手段と、前記オブジェクト条件入力手段により入力された前記所定条件に基づいて、前記再生手段により、前記記録媒体に記録された映像音声情報から、当該所定条件を満たす映像音声情報を再生するよう制御する制御手段とを有し、前記制御手段は、前記再生手段により前記記録媒体から映像音声情報を再生中において、前記出力手段により出力中の映像音声情報に含まれておらず、且つ前記記録媒体に記録された映像音声情報に含まれる非再生オブジェクトについての出現情報を、前記出力手段により前記表示手段に出力させ、前記オブジェクト条件入力手段は、前記再生手段により前記記録媒体から映像音声情報を再生中に、前記非再生オブジェクトを含む所定条件を指定する指示を入力可能な情報処理装置。
【発明の効果】
【０００９】
本発明によれば、情報処理装置におけるユーザの使い勝手を向上させることができる。
【発明を実施するための最良の形態】
【００１０】
以下実施例により、本発明の実施に最良な形態の例を説明する。
【実施例１】
【００１１】
第１の実施例として、情報処理装置における特定のオブジェクトを含む映像データの抽出再生の動作を説明する。
【００１２】
図１は、第１の実施例における情報処理装置の一例として、映像再生装置１０１の構成例を示すブロック図である。１１１は例えばＨＤＤなどの記録媒体１８１に対し、映像データ１８２等の記録又は再生を行なう記録再生部である。１２１は、本装置全体を制御するＣＰＵやメモリなどで構成される制御部である。１３１はオブジェクト管理情報や映像データの信号を出力する出力部であり、出力部１３１より出力された各種信号は表示部１７１により画面表示される。なお、本実施例では、表示部１７１は、映像再生装置１０１の外部に配置された構成として説明するが、表示部１７１が、映像再生装置１０１の内部に配置された構成であってもよい。１４１は記録情報の検索開始や検索停止、検索時のオブジェクト指定などの入力を受け付ける操作部である。１５１は、本装置の各部へ電力を供給する電力供給入力部であり、例えばＡＣ電源や、バッテリ等からの電力供給が入力される。１６１は例えばオブジェクト毎の管理情報１６２等を記憶する、半導体メモリ等の記憶部である。１６２は、オブジェクト毎の出現範囲等の情報を含むオブジェクト管理情報である。なお、本実施例ではオブジェクト管理情報１６２が記憶部１６１に記憶される構成として説明するが、オブジェクト管理情報１６２は、記録再生部１１１により、映像データ１８２とともにＨＤＤなどの記録媒体１８１に記録される構成であってもよい。
【００１３】
以下、映像データに含まれるオブジェクトとは、例えば特定の人物（ドラマの主人公、我が子等）、笑顔、映像データの輝度、映像データのフォーカス、映像データの手ブレ、又はＣＭなど、映像データにおける様々な条件を含むものとする。
【００１４】
本映像再生装置１０１における動作を、以下に詳しく示す。記録再生部１１１は、制御部１２１の制御に基づき、記録媒体１８１に記録された映像データ１８２の中から、所定のオブジェクト条件を満たす映像データを抽出して、再生動作を行なう。記録再生部により再生された映像データは、出力部１３１により表示部１７１へ出力され、画面表示される。ここで、オブジェクト管理情報１６１には、映像データ１８２に含まれるオブジェクトに関する情報（例えば、当該各オブジェクトの出現時間に関する情報等）が記憶されており、制御部１２１は、当該オブジェクト管理情報１６１に基づいて、所定のオブジェクト条件を満たす映像データを抽出して再生動作を行なうよう、記録再生部１１１を制御する。本映像再生装置１０１は、記録再生部１１１により、映像データ１８２を再生している場合において、出力部１３１により出力中の映像データに含まれておらず、且つ記録媒体１８１に記録された映像データ１８２に含まれるオブジェクト（以下、非再生オブジェクトという。）についての出現情報を、出力部１３１により表示部１７１に出力させる。さらに、記録再生部１１１により記録媒体１８１から映像データ１８２を再生中に、当該出現情報に基づいて、操作部１４１から、非再生オブジェクトを含む所定のオブジェクト条件を指定する指示が入力される。記録再生部１１１は、当該オブジェクト条件を満たす映像データを抽出して再生動作を行なう。
【００１５】
なお、ここでいうオブジェクト条件とは、例えば所定のオブジェクトＡ、オブジェクトＢを含む映像データにおいては、「オブジェクトＡが出現する」「オブジェクトＡ又はオブジェクトＢが出現する」、「オブジェクトＡが出現し、且つオブジェクトＢが出現しない」等、任意のオブジェクト郡について論理和、論理積又は論理差の条件が一例として考えられる。当然、設定するオブジェクト数が多いほど、オブジェクト条件の組み合わせも多様なバリエーションが可能となることがいうまでもない。
【００１６】
このように、映像データの再生中において、当該映像データ内の再生画面に出現していないオブジェクト（非再生オブジェクト）に関する出現情報を画面に表示してユーザに知らせ、さらには、再生中において、ユーザが非再生オブジェクトを含むオブジェクト条件を指定可能とすることにより、ユーザの使い勝手を向上させることができる。
【００１７】
図２は本実施例における映像再生装置１０１の動作手順の一例を示すフローチャートである。ステップ２０２で映像の再生を開始すると（Ｓ２０２）、ステップ２０３で示すオブジェクト毎の管理情報表示として、表示部１７１には、映像データ１８２に含まれる各オブジェクトが出現する時間帯情報が表示される（Ｓ２０３）。ステップ２０４においてオブジェクト抽出再生をする場合（Ｓ２０４）、ステップ２０５で操作部１４１により、抽出再生する所定のオブジェクト条件設定の入力を受け付ける（Ｓ２０５）。ステップ２０６では設定された当該オブジェクト条件を満たす映像データの出現する時間帯情報や合計時間に関する情報が表示部１７１に表示され（Ｓ２０６）、ステップ２０７で当該オブジェクト条件に基づき映像データが再生される（Ｓ２０７）。ステップ２０５からステップ２０７までの処理は、再生中において操作部１４１によりオブジェクト条件が設定されるたびに実行され、ステップ２０８によって映像再生終了するまで（Ｓ２０８）、操作部１４１によりオブジェクト条件を繰り返し設定される。
【００１８】
これにより、ユーザは再生されていないオブジェクト（非再生オブジェクト）に関する出現情報を把握することができ、映像データの抽出再生動作においてオブジェクトの見落としをすることなく、より確実な映像データの抽出再生動作を行なうことができる。
【００１９】
以下、本映像再生装置における、表示画面の一例を説明する。
【００２０】
図３は、映像に記録されたオブジェクトの出現を表す画面表示の一例であり、例えば図２のフローチャートのステップ２０３や、ステップ２０６において表示部１７１に表示される。１７１はＬＣＤなどの表示部である。３１１は、再生開始からの経過時間を示している。３１２は、映像データに記録されたオブジェクト及び各オブジェクトが映像に出現する時間帯を示し、例えば図３中の３１１の示す時間では、オブジェクトＡ及びＣが映像に出現していることを表している。３１３は、各オブジェクトＡ、Ｂ、Ｃの中から任意に組み合わせたオブジェクトが映像データ中に出現する時間帯を示し、例えば図３中では、オブジェクトＡが出現する時間帯を表示している。
【００２１】
また、時間軸上で各オブジェクトについて、出現する時間帯と、出現しない時間帯とをユーザが区別できるよう表示することで、ユーザは各オブジェクトの出現状況を容易に把握することができる。また、ユーザにより選択された特定のオブジェクト条件を満たす映像データの出現状況についても時間軸上で表示することで、ユーザは抽出再生される映像データの出現状況を容易に把握することが可能となる。さらに、本実施例では、ユーザにより選択された特定のオブジェクト条件を満たす映像データの合計時間を画面上に表示する。本実施例において例えば、図３の３１４のようにオブジェクトＡの出現する映像データの合計時間が表示部１７１上に画面表示される。これにより、ユーザは抽出再生される映像データの合計時間を考慮したうえで、オブジェクト条件を適切に設定することができる。
【００２２】
図４は、映像に記録されたオブジェクトの出現を表す画面表示の他の一例であり、図３と同様、例えば図２のフローチャートのステップ２０３や、ステップ２０６において表示部１７１に表示される。４１１はオブジェクトＡ（ここでは、人物Ａとする）である。４２１は、再生開始からの経過時間を示し、またグラフ４２２及び４２３中で現在再生されている箇所を示す。以後の図において、符号５２１、６２１、７２１、８２１、９２１で示した部分についても同様である。４２２のグラフは各オブジェクトが映像中に出現する時間帯を示す。例えば、図４中４２２は映像中にオブジェクトＡ及びオブジェクトＢが出現する事を示し、再生時間00:15:30時点では映像中オブジェクトＡ が出現している事を表している。４２３は、選択再生するオブジェクト条件の組み合わせを示し、また映像中に出現するオブジェクトＡ、Ｂの中の任意に組み合わせが映像に出現する時間帯を表す。例えば、図４中では、オブジェクトＡが出現する時間帯を表示している。オブジェクトの組み合わせは、例えば各オブジェクトの論理和から求められる。なお、４２２及び４２３について、図４中ではオブジェクトの出現を棒状のグラフで表示しているが、その他のグラフ表示や、４３１、４３２、４３３のようにオブジェクトが出現する時間を文字（例えばメッセージ等）により表示してもよい。
【００２３】
例えば、図４では、オブジェクトＡ（４１１）が出現する映像のみを再生していることを示している。
【００２４】
これにより、再生時間01:09:43に自動的にスキップする前に、オブジェクトＢが出現し始める時間やオブジェクトＡが次に出現する時間をユーザが確認することができる。
【００２５】
図４が表示された状態で、操作部１４１によりオブジェクトＢをオブジェクト条件に加えれば、表示画面は図５のように変更され、オブジェクトＡ又はオブジェクトＢ（５１１）の出現する映像データが抽出され、再生されることになる。
【００２６】
これにより、再生中において、必要に応じて任意のオブジェクトをオブジェクト条件に加える等、オブジェクト条件を適切に変更することが可能となり、ユーザの使い勝手を向上させることができる。
すなわち、従来の映像データの抽出再生動作では、再生時間00:16:19まで再生すると、次にオブジェクトＡが出現する再生時間01:09:43に自動的にスキップされ、オブジェクトＢが出現し始める映像を見ることができなかった。
本実施例によれば、再生中にオブジェクトを見落とす危険性を低減することができる。
さらには、再生中途中にオブジェクト条件を変更可能とすることにより、抽出動作の自由度がより一層高くなる、すなわち、より多様なバリエーションのオブジェクト条件を設定することが可能となり、映像データの抽出再生動作の利便性を向上させることができる。
【００２７】
なお、本実施例では、映像データを例に、抽出再生動作の処理を説明したが、これに限られることはない。すなわち、映像データのみならず、例えば音声データの再生についても、本発明は適用可能である。
【００２８】
また、本実施例では、ユーザが操作部１４１を操作することによりオブジェクト条件の設定を行なう構成としたが、これに限定されるものではない。例えば、表示部１７１をタッチパネルとし、画面上をユーザが直接指圧等することにより操作するようにしてもよいし、赤外線リモートコントローラにより、本装置を離れた位置から操作できるようにしてもよい。また、オブジェクトの指定についても、例えば文字、アイコン又はサムネイル等で表示されたオブジェクトをユーザが指定することにより、オブジェクト条件を設定するようにしてもよい。さらには、ユーザがオブジェクト名を発話することにより、当該オブジェクトが選択されるようにしてもよい。
【実施例２】
【００２９】
第２の実施例として、例えば図６及び図７のように、オブジェクトＡ及びオブジェクトＢが出現する映像について説明する。図中の各部は図４と同様である。ただし、オブジェクトＢはオブジェクトＡの発話音声を示す。すなわち、本実施例では、オブジェクトＡの発話音声を検知し、オブジェクトＢとして検出を行なう。なお、本実施例における映像再生装置を構成するブロック図及び動作手順は第１の実施例と同様図１，２で示されるため、説明を省略する。
【００３０】
例えば、図６ではオブジェクトＡ（６１１）が出現する映像データを再生しており、図７ではオブジェクトＡ（７１１）及びオブジェクトＢ（７１２）が共に出現する映像データを再生している。ここで、オブジェクトＢ（６１２、７１２）はオブジェクトＡ（６１１、７１１）の発話音声として定義されるものである。
【００３１】
従来の映像データの抽出再生動作では、図６のようにオブジェクトＡが出現する映像データを再生した場合、または図７のようにオブジェクトＡ及びオブジェクトＢが共に出現する映像データを再生した場合、再生中に非再生オブジェクト等の出現状態を確認して映像データの抽出再生動作の設定、すなわちオブジェクト条件を変更することはできなかった。
【００３２】
本発明によれば、例えば図６のようにオブジェクトＡが出現する映像データを再生している最中に、ユーザがオブジェクトＡの話しているシーンだけを抽出再生したいと考えた場合に、オブジェクト条件を適切に変更することにより、図７のようにオブジェクトＡ及びオブジェクトＢが共に出現する映像データを再生することができる。さらには、本実施例のように、オブジェクトの対象を人物・モノのみならず、音声まで含めてオブジェクト条件の設定を行なうことにより、様々なバリエーションの映像データの抽出再生動作を行なうことができ、ユーザの利便性を向上させることができる。さらに、オブジェクトの対象は、音声に限らず、例えば「音量が所定値より高い」、「笑顔」、「騒音」等、様々な例が考えられ、これらをオブジェクト対象とすることにより、より多様な抽出再生動作を行なうことができる。例えば、図８、図９において、オブジェクトＡを人物Ａ（８１１、９１１）、オブジェクトＢを騒音Ｂ（８１２）とした場合の例を示す。ユーザはオブジェクトＡが出現する映像データを再生中、図８に示す画面が表示される。これらの画面表示は、再生映像に重ね合わせるように、再生映像画面の一部に表示してもよいし、あるいはユーザからの操作により再生映像画面と当該画面表示とが切り替わる構成としてもよい。ユーザは図８に示す画面を確認することにより、騒音Ｂの発生する時間帯を、把握することができる。ここで、ユーザはオブジェクト条件を「オブジェクトＡが出現し且つオブジェクトＢが出現しない」というオブジェクト条件へ設定することにより、図９のように、人物Ａが登場しているシーンの中から、騒音Ｂの発生するシーンを外して抽出再生動作を行なうことができる。
【００３３】
このように、再生中に、適切なオブジェクト条件へと設定を変更することにより、ユーザの見たいシーン、見たくないシーン、を再生中に適切に取捨選択して抽出再生動作を行なうことができ、ユーザの利便性を向上させることができる。
【００３４】
次に、再生履歴を記憶する場合の動作について説明する。本実施例では、映像データに対し設定されたオブジェクト条件の履歴を記憶部１６１に記憶しておく。すなわち、図２に示すフローチャートに従って再生された映像データの再生履歴を記憶し、次回再生時、当該記憶部１６１に記憶された再生履歴にしたがって、映像データの再生を行なう。
【００３５】
これにより、ユーザは一度、図２の手順に従って映像データの抽出再生動作をおこなえば、同様の再生をする場合に、再度、図２の手順にしたがってオブジェクト条件を設定することなく、簡易に抽出再生動作を行なうことができる。
【００３６】
なお、実施例１、実施例２では、それぞれ、複数のオブジェクトの論理和検索、論理積検索及び論理差検索を用いた選択再生の例を説明したが、これらの条件をさらに組み合わせて実施することも可能である。
【実施例３】
【００３７】
第３の実施例として、所定のオブジェクト条件を満たす映像データを抽出し、ダビングあるいはムーブ処理を行なう情報処理装置について説明する。
【００３８】
図１０は、第３の実施例における情報処理装置１００１の構成の一例を示すブロック図である。１０１２は、例えばＨＤＤ等の第１の記録媒体１０９１に対し、映像データ１０９２等の記録又は再生を行なう第１の記録再生部である。１０１１は例えば光ディスク、ＳＤカード等の第２の記録媒体１０８１に対し、映像データ等の記録又は再生を行なう第２の記録再生部である。その他の構成については、第１の実施例における図１のブロック図と同様であるため、説明を省略する。なお、本実施例では第１の記録媒体は情報処理装置１００１の内部に配置され、第２の記録媒体は、情報処理装置１００１の外部に配置された構成として説明するが、各記録媒体の配置はこの配置に限られるものはなく、第１及び第２の記録媒体ともに、情報処理装置１００１の外部に配置される構成であってもよいし、あるいは第１及び第２の記録媒体ともに、情報処理装置１００１の内部に配置される構成であってもよい。また、記録媒体の種類についても、上記の例に限定されることはなく、情報を記録可能なあらゆる記録媒体に対して、本実施例を適用することが可能である。
【００３９】
次に、本実施例において、ダビング動作を行なう場合の処理を説明する。ダビングを行なう場合、第１の記録再生部１０１２により、第１の記録媒体１０９２から映像データ１０９２が再生される。再生された映像データ１０９２は、第２の記録再生部１０１１により、第２の記録媒体１０８１へ記録され、ダビングが行なわれる。ここで、上記ダビング処理において、第１の記録再生部により再生される映像データは、実施例１又は２と同様にして行なわれる。すなわち、ダビング処理中にユーザはオブジェクト条件の設定を変更することが可能であり、適切な映像データが第１の記録再生部１０１２により抽出再生される。
【００４０】
このときの表示画面例についても、実施例１又は２における図３〜９と同様であるので、説明を省略するが、特に、ダビング処理においては、図３の３１４に示す、合計時間の表示が重要な役割を果たす。すなわち、図３において、ユーザにより設定されたオブジェクト条件を満たす映像データの合計時間３１４が示されることにより、ユーザはダビング先である第２の記録媒体１０８１の残容量に映像データが収まるよう、オブジェクト条件を選択することができる。これにより、ダビング時のユーザの利便性を向上させることが可能となる。
【００４１】
本実施例における図１１は、本実施例における情報処理装置の動作手順の一例を示すフローチャートである。基本的には第１の実施例における図２に示すフローチャートと同様の手順であるが、再生のみならず、ダビング動作を行なう点が異なる。例えば、本実施例では、ダビングする際にステップ１１０３でダビング中の再生映像を確認しながら（Ｓ１１０３）、ステップ１１０５でダビングする映像データのオブジェクト条件の選択を行なう。
【００４２】
次に、実施例２で説明した再生履歴の記憶処理を、本実施例に適用する場合の例を説明する。この場合、再生履歴の記憶は、図２の手順にしたがって映像データの抽出再生された映像データの再生履歴あるいは、図１０の手順にしたがってダビングされた映像データの再生履歴を記憶部１０６１に記憶しておく。次に、ユーザが、映像データについて同様の再生を行ないダビングする場合に、当該記憶部１０６１に記憶された再生履歴にしたがって、映像データのダビングを行なう。
【００４３】
これにより、例えばユーザが同一の抽出映像データがダビングされた記録媒体を複数作成したい場合にも、当該再生履歴に基づき、何度でも同様の抽出ダビング処理を行なうことができ、ユーザへの負担を軽減することができる。
【００４４】
さらには、例えばユーザが同一の映像データに対して、図２の手順に従った抽出再生動作を複数回行ない、最適な抽出条件を見きわめ、ユーザが最もよいと考える再生履歴に基づき抽出ダビング処理を行なうことができる。
【００４５】
なお、本実施例では、ダビング処理を例に説明したが、ダビング処理だけでなく、ムーブ処理を行なうものであってもよい。ムーブ処理とは、例えば第１の記録媒体１０９１から映像データ１０９２を再生し、且つ再生した映像データ１０９２を第１の記録媒体１０９１から削除する動作を第１の記録再生部が行ない、再生された映像データ１０９２を第２の記録再生部１０１１により第２の記録媒体１０８１に記録する動作をいう。すなわち、ダビング処理はデータの複製であるのに対し、ムーブ処理はデータの移動を行なうものである。
【００４６】
なお、本発明は上記した実施例に限定されるものではなく、様々な変形例が含まれる。例えば、上記した実施例は本発明への理解を容易にすべく、詳細に説明したものであり、必ずしも説明した全ての構成を備えるものに限定されるものではない。また、ある実施例の構成に他の実施例の構成を加えることも可能である。
【図面の簡単な説明】
【００４７】
【図１】第１及び第２の実施例における映像再生装置の構成例を示すブロック図である。
【図２】第１から第２の実施例の処理例を示すフローチャートである。
【図３】情報処理装置の処理例を示す画面表示例である。
【図４】第１の実施例の処理例を示す画面表示例である。
【図５】第１の実施例の処理例を示す画面表示例である。
【図６】第２の実施例の処理例を示す画面表示例である。
【図７】第２の実施例の処理例を示す画面表示例である。
【図８】第２の実施例の処理例を示す画面表示例である。
【図９】第２の実施例の処理例を示す画面表示例である。
【図１０】第３の実施例における情報処理装置の構成例を示すブロック図である。
【図１１】第３の実施例の処理例を示すフローチャートである。
【符号の説明】
【００４８】
１０１‥‥‥‥‥‥‥映像再生装置
１１１‥‥‥‥‥‥‥記録再生部
１２１、１０２１‥‥制御部
１３１、１０３１‥‥出力部
１４１、１０４１‥‥操作部
１５１、１０５１‥‥電力供給入力部
１６１、１０６１‥‥記憶部
１７１、１０７１‥‥表示部
１８１‥‥‥‥‥‥‥記録媒体
３１１‥‥‥‥‥‥‥再生開始からの経過時間の表示例
３１４‥‥‥‥‥‥‥オブジェクト条件を満たす映像データの合計時間の表示例
４１１‥‥‥‥‥‥‥オブジェクトＡ
４２２‥‥‥‥‥‥‥映像データ内の各オブジェクトの出現時間帯の表示例
４２３‥‥‥‥‥‥‥オブジェクト条件を満たす映像データの出現時間帯の表示例
４３１〜４３３‥‥‥再生中、前後に出現するオブジェクトの出現時間の通知例
５１１‥‥‥‥‥‥‥オブジェクトＢ
１０１１‥‥‥‥‥‥第２の記録再生部
１０１２‥‥‥‥‥‥第１の記録再生部
１０８１‥‥‥‥‥‥第２の記録媒体
１０９１‥‥‥‥‥‥第１の記録媒体
【図１】
2010062691.tif 000003
【図２】
2010062691.tif 000004
【図３】
2010062691.tif 000005
【図４】
2010062691.tif 000006
【図５】
2010062691.tif 000007
【図６】
2010062691.tif 000008
【図７】
2010062691.tif 000009
【図８】
2010062691.tif 000010
【図９】
2010062691.tif 000011
【図１０】
2010062691.tif 000012
【図１１】
2010062691.tif 000013